(57)【要約】【課題】メニュー画面の操作を簡略化できる技術の実現。【解決手段】被写体の画像を撮像し記録する撮像装置であって、前記撮像装置の動作モードに応じた操作を行うための操作項目を表示する表示手段と、前記操作項目を選択する選択手段と、周辺機器を通信可能に接続する通信手段と、前記周辺機器が接続されているか否かを判定する判定手段と、を有し、前記表示手段は、前記判定手段による判定結果に応じて特定の操作項目を予め選択した状態で表示する。【選択図】      図４
2007221272.tif 000002
【特許請求の範囲】
【請求項１】
被写体の画像を撮像し記録する撮像装置であって、
前記撮像装置の動作モードに応じた操作を行うための操作項目を表示する表示手段と、
前記操作項目を選択する選択手段と、
周辺機器を通信可能に接続する通信手段と、
前記周辺機器が接続されているか否かを判定する判定手段と、を有し、
前記表示手段は、前記判定手段による判定結果に応じて特定の操作項目を予め選択した状態で表示することを特徴とする撮像装置。
【請求項２】
前記特定の操作項目は、接続されている周辺機器に関連した操作項目であることを特徴とする請求項１に記載の撮像装置。
【請求項３】
前記操作項目は、前記撮像装置の機能ごとに分類された複数のシートから構成され、
前記表示手段は、接続されている周辺機器に関連したシートを予め選択された状態で表示することを特徴とする請求項２に記載の撮像装置。
【請求項４】
前記表示手段は、接続されている周辺機器の動作条件の設定が既に行われている場合、前記周辺機器の動作開始を指示するための操作項目を予め選択された状態で表示することを特徴とする請求項１乃至３のいずれか１項に記載の撮像装置。
【請求項５】
前記表示手段は、接続されている周辺機器の動作条件の設定が行われていない場合、前記周辺機器の動作条件を設定するための操作項目を予め選択された状態で表示することを特徴とする請求項１乃至３のいずれか１項に記載の撮像装置。
【請求項６】
前記表示手段は、他の操作項目を表示中に前記周辺機器が接続されたと判定された場合、前記特定の操作項目を選択状態で表示することを特徴とする請求項１乃至５のいずれか１項に記載の撮像装置。
【請求項７】
前記周辺機器はプリンタであることを特徴とする請求項１乃至６のいずれか１項に記載の撮像装置。
【請求項８】
前記周辺機器はパーソナルコンピュータであることを特徴とする請求項１乃至６のいずれか１項に記載の撮像装置。
【請求項９】
前記周辺機器は前記撮像装置に対して着脱可能な記録媒体であることを特徴とする請求項１乃至６のいずれか１項に記載の撮像装置。
【請求項１０】
前記周辺機器は、他の撮像装置であることを特徴とする請求項１乃至６のいずれか１項に記載の撮像装置。
【請求項１１】
前記周辺機器はプリンタであり、前記周辺機器の動作条件とは印刷設定であり、前記周辺機器の動作開始とは印刷開始であることを特徴とする請求項４又は５に記載の撮像装置。
【請求項１２】
被写体の画像を撮影する撮像手段と、
動作モードに応じた操作を行うための操作項目を表示する表示手段と、
前記操作項目を選択する選択手段と、
周辺機器を通信可能に接続する通信手段と、を有する撮像装置の制御方法であって、
前記周辺機器が接続されているか否かを判定する判定ステップと、
判定結果に応じて特定の操作項目を予め選択した状態で前記表示手段に表示する表示ステップと、を有することを特徴とする制御方法。
【請求項１３】
前記特定の操作項目は、接続されている周辺機器に関連した操作項目であることを特徴とする請求項１２に記載の制御方法。
【請求項１４】
前記操作項目は、前記撮像装置の機能ごとに分類された複数のシートから構成され、
前記表示ステップでは、接続されている周辺機器に関連したシートを予め選択された状態で表示することを特徴とする請求項１３に記載の制御方法。
【請求項１５】
前記表示ステップでは、接続されている周辺機器の動作条件の設定が既に行われている場合、前記周辺機器の動作開始を指示するための操作項目を予め選択された状態で表示することを特徴とする請求項１２乃至１４のいずれか１項に記載の制御方法。
【請求項１６】
前記表示ステップでは、接続されている周辺機器の動作条件の設定が行われていない場合、前記周辺機器の動作条件を設定するための操作項目を予め選択された状態で表示することを特徴とする請求項１２乃至１４のいずれか１項に記載の制御方法。
【請求項１７】
前記表示ステップでは、他の操作項目を表示中に前記周辺機器が接続されたと判定された場合、前記特定の操作項目を選択状態で表示することを特徴とする請求項１２乃至１６のいずれか１項に記載の制御方法。
【請求項１８】
前記周辺機器はプリンタであることを特徴とする請求項１２乃至１７のいずれか１項に記載の制御方法。
【請求項１９】
前記周辺機器はパーソナルコンピュータであることを特徴とする請求項１２乃至１７のいずれか１項に記載の制御方法。
【請求項２０】
前記周辺機器は前記制御方法に対して着脱可能な記録媒体であることを特徴とする請求項１２乃至１７のいずれか１項に記載の制御方法。
【請求項２１】
前記周辺機器は、他の撮像装置であることを特徴とする請求項１２乃至１７のいずれか１項に記載の制御方法。
【請求項２２】
前記周辺機器はプリンタであり、前記周辺機器の動作条件とは印刷設定であり、前記周辺機器の動作開始とは印刷開始であることを特徴とする請求項１５又は１６に記載の制御方法。
【請求項２３】
請求項１２乃至２２のいずれか１項に記載の制御方法をコンピュータに実行させるためのプログラム。
【請求項２４】
請求項２３に記載のプログラムを記憶したことを特徴とするコンピュータ可読記憶媒体。
【発明の詳細な説明】
【技術分野】
【０００１】
本発明は、画像を撮像する撮像装置の操作性を改善する技術に関するものである。
【背景技術】
【０００２】
従来、デジタルカメラ等においては、撮影・再生時の様々な機能を簡単に利用できるように、ＬＣＤ等の表示画面上に複数の操作項目を並べて表示し、ボタン操作によるカーソル移動によって目的の操作項目を選択する、所謂メニュー方式が広く採用されている。
【０００３】
また、デジタルカメラに搭載される機能が増え、メニュー項目数が多くなったため、関連するメニュー項目を一つのシートにまとめ、複数のシートからメニューが構成される、階層型のメニュー方式を採用しているものも多い。
【０００４】
このようなメニュー方式においては、目的の操作項目を選択するためのボタン操作が多くなる傾向にある。
【０００５】
これに対して、特許文献１には、選択可能な項目の中から任意の操作項目を選択する際に、選択を要しない操作項目の階層表示を省略して、次の階層を表示することで、メニュー表示時の操作性を向上させる技術が記載されている。
【特許文献１】特開平１１−２７２３８９号公報
【発明の開示】
【発明が解決しようとする課題】
【０００６】
しかしながら、上記特許文献１においては、選択可能な項目数が多い場合や、選択を要しない項目が少ない場合には、目的の操作項目を選択するためにボタン操作を行わなければならず、操作性の向上が望めないという課題があった。
【０００７】
また、従来より、例えばデジタルカメラにプリンタを接続するのは、撮影画像を印刷するためであり、その操作目的が明確である。それにもかかわらず、デジタルカメラで撮影した画像を印刷するためには、デジタルカメラにプリンタを接続し、メニュー画面を表示させ、ボタン操作によって印刷に関する操作項目を選択するという手順が必要であった。
【０００８】
本発明は、上記課題に鑑みてなされ、その目的は、メニュー画面の操作を簡略化できる技術を実現することである。
【課題を解決するための手段】
【０００９】
上記課題を解決し、目的を達成するために、本発明の撮像装置は、被写体の画像を撮像し記録する撮像装置であって、前記撮像装置の動作モードに応じた操作を行うための操作項目を表示する表示手段と、前記操作項目を選択する選択手段と、周辺機器を通信可能に接続する通信手段と、前記周辺機器が接続されているか否かを判定する判定手段と、を有し、前記表示手段は、前記判定手段による判定結果に応じて特定の操作項目を予め選択した状態で表示する。
【００１０】
また、本発明の撮像装置の制御方法は、被写体の画像を撮影する撮像手段と、動作モードに応じた操作を行うための操作項目を表示する表示手段と、前記操作項目を選択する選択手段と、周辺機器を通信可能に接続する通信手段と、を有する撮像装置の制御方法であって、前記周辺機器が接続されているか否かを判定する判定ステップと、判定結果に応じて特定の操作項目を予め選択した状態で前記表示手段に表示する表示ステップと、を有する。
【発明の効果】
【００１１】
本発明によれば、メニュー画面の表示時に、接続されている周辺機器に関連する操作項目が予め選択された状態で表示されるので、メニュー操作を簡略化することができ、装置の機能を利用する際の操作性を大幅に向上させることが可能となる。
【発明を実施するための最良の形態】
【００１２】
以下に、添付図面を参照して本発明を実施するための最良の形態について詳細に説明する。
【００１３】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１４】
［装置の説明］
図１は、本発明に係る実施形態の撮像装置の構成を示すブロック図である。
【００１５】
図１において、１００は電子カメラ等に代表される撮像装置である。
【００１６】
１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換器である。
【００１７】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。
【００１９】
また、画像処理回路２０は、撮像した画像データを用いて所定の演算処理を行う。システム制御回路５０は、画像処理回路２０により得られた演算結果に基づいて露光制御部４０、測距制御部４２を制御し、ＴＴＬ（スルー・ザ・レンズ）方式のＡＦ（オートフォーカス）処理、ＡＥ（自動露出）処理、ＥＦ（フラッシュプリ発光）処理を行う。
【００２０】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮／伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００２４】
画像表示部２８を用いて撮像した画像データを逐次表示すれば、電子ビューファインダ（ＥＶＦ）機能を実現することが可能である。
【００２５】
また、画像表示部２８は、システム制御部５０の指示により任意に表示をＯＮ／ＯＦＦすることが可能であり、表示をＯＦＦにした場合には撮像装置１００の電力消費を大幅に低減することができる。
【００２６】
３０は撮影した静止画像や動画像を格納するためのメモリであり、所定枚数の静止画像や所定時間の動画像を格納するのに十分な記憶量を備えている。
【００２７】
これにより、複数枚の静止画像を連続して撮影する連写撮影やパノラマ撮影の場合にも、高速かつ大量の画像書き込みをメモリ３０に対して行うことが可能となる。
【００２８】
また、メモリ３０はシステム制御回路５０の作業領域としても使用することが可能である。
【００２９】
３２は適応離散コサイン変換（ＡＤＣＴ）等により画像データを圧縮伸長する圧縮／伸長回路であり、メモリ３０に格納された画像を読み込んで、例えばJPEG或いはMPEG形式で圧縮処理或いは伸長処理を行い、処理を終えたデータをメモリ３０に書き込む。
【００３０】
４０は絞り機能を備えるシャッター１２を制御する露光制御部であり、フラッシュ４８と連携することによりフラッシュ調光機能も有するものである。
【００３１】
４２は撮影レンズ１０のフォーカシングを制御する測距制御部、４４は撮影レンズ１０のズーミングを制御するズーム制御部、４６はバリア１０２の動作を制御するバリア制御部である。
【００３２】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００３３】
４８はフラッシュであり、ＡＦ補助光の投光機能、フラッシュ調光機能を有する。
【００３４】
５０は撮像装置１００全体を制御するシステム制御回路、５２はシステム制御回路５０の動作用の定数、変数、プログラム等を記憶するメモリである。
【００３５】
５４はシステム制御回路５０でのプログラムの実行に応じて、文字、画像、音声等を用いて動作状態やメッセージ等を表示する液晶表示装置、スピーカー等の表示部である。表示部５４は、撮像装置１００の操作部近辺の視認し易い位置に単数或いは複数箇所設置され、例えばＬＣＤやＬＥＤ、発音素子等の組み合わせにより構成されている。
【００３６】
表示部５４は、その機能の一部が光学ファインダ１０４内に設定されている。
【００３７】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示等がある。それ以外に、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示等がある。更に、記録媒体２００及び２１０の着脱状態表示、通信I/F動作表示、日付・時刻表示等がある。
【００３８】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３９】
５６は電気的に消去・記録可能な不揮発性メモリであり、例えばＥＥＰＲＯＭ等が用いられる。
【００４０】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４１】
ここで、これらの操作手段の具体的な説明を行う。
【００４２】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００４３】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４４】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理の動作開始を指示する。また、画像処理回路２０やメモリ制御回路２２での演算を用いた現像処理の動作開始を指示する。更に、メモリ３０から画像データを読み出し、圧縮／伸長回路３２で圧縮を行い、記録媒体２００或いは２１０に画像データを書き込む記録処理の動作開始を指示する。
【００４５】
６６は画像表示ＯＮ／ＯＦＦスイッチで、画像表示部２８のＯＮ／ＯＦＦを設定することができる。この機能により、光学ファインダ１０４を用いて撮影を行う際に、ＴＦＴ ＬＣＤ等から成る画像表示部２８への電力供給を遮断することにより、省電力を図ることができる。
【００４６】
６８はクイックレビューＯＮ／ＯＦＦスイッチで、撮影直後に撮影した画像データを自動再生するクイックレビュー機能を設定する。本実施形態では特に、画像表示部２８をＯＦＦとした場合におけるクイックレビュー機能の設定を行う機能を備えるものとする。
【００４７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン等がある。それ以外にも、メニュー移動＋（プラス）ボタン、メニュー移動−（マイナス）ボタン、再生画像移動＋（プラス）ボタン、再生画像移動−（マイナス）ボタン等がある。更に、撮影画質選択ボタン、露出補正ボタン、日付／時間設定ボタン、画像削除ボタン、画像削除取消しボタン等がある。
【００４８】
８０は電源制御部で、電源検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４９】
８２，８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００５０】
９０及び９４はメモリカードやハードディスク等の記録媒体とのインターフェースである。９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知部である。
【００５１】
尚、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５２】
インターフェース及びコネクタとしては、PCMCIAカードやCF（コンパクトフラッシュ（登録商標））カード等の規格に準拠したものを用いて構成して構わない。この場合に、インターフェース及びコネクタには、LANカードやモデムカード、USBカード、IEEE1394カード、P1284カード、SCSIカード、PHS等の通信カード、等の各種通信カードが接続される。これにより、他のコンピュータやプリンタ等の周辺機器との間で画像データや画像データに付属した管理情報を転送し合うことができる。
【００５３】
１０２は、撮像装置１００の撮影レンズ１０を含む撮像部を覆うことにより、撮像部の汚れや破損を防止する保護手段としてのバリアである。
【００５４】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５５】
１０６はカメラ姿勢検知部であり、撮像装置１００の姿勢状態、即ち本装置に設けられた撮像素子１４の撮像面の向きの状態を検出する。姿勢状態を検知するセンサとしては、例えば重力センサを使用する。
【００５６】
１０８は日時検知部で、本装置に内蔵している時計であるリアルタイムクロック（ＲＴＣ）を使用して時間を計時する。本時計は、本装置が電源ＯＦＦであっても、内蔵電池から電源を供給して動作する。日付検知部１０８では、リアルタイムクロックから取得した時間を計時し、１９８０年１月１日０時０分０秒から２０３０年１２月３１日２３時５９分５９秒を日時の有効範囲として制御する。
【００５７】
１１０は通信制御部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５８】
１１２は通信制御部１１０により撮像装置１００を他の機器と接続するＵＳＢやＩＥＥＥ１３９４等の有線によるコネクタである。
【００５９】
２００はメモリカードやハードディスク等の記録媒体である。
【００６０】
記録媒体２００は、半導体メモリや磁気ディスク等から構成される記録部２０２、撮像装置１００とのインターフェース２０４、撮像装置１００と接続を行うコネクタ２０６を備えている。
【００６１】
２１０はメモリカードやハードディスク等の記録媒体である。
【００６２】
記録媒体２１０は、半導体メモリや磁気ディスク等から構成される記録部２１２、撮像装置１００とのインターフェース２１４、撮像装置１００と接続を行うコネクタ２１６を備えている。
【００６３】
図２は、本発明の撮像装置を適用した電子カメラの斜視図である。
【００６４】
図２において、２２１は電源をＯＮ／ＯＦＦするためのボタンである。２２２は撮影モード、再生モード、動画撮影モード、静止画撮影モード等の各機能モードを切り替えるためのモード切替レバーである。２２３はシャッタースイッチＳＷ１，ＳＷ２を操作するためのシャッターボタンである。
【００６５】
カメラの撮影画像は画像表示部２８に表示される。画像表示部２８は通常ＬＣＤ（液晶ディスプレイ）が使用される（以下、ＬＣＤともいう。）。ＬＣＤ２８には静止画像及び／又は動画像の再生操作等を行うためのメニュー画面が表示される。
【００６６】
２２４，２２５，２２６はそれぞれＳＥＴボタン、ＭＥＮＵボタン、十字ボタンで、撮影パラメータやカメラの設定を変更したり、再生モードにおいて左右ボタンを押して画像送りを行う。
【００６７】
コネクタ１１２はデジタル端子であり、ＵＳＢ等のケーブルをコンピュータやプリンタ等の周辺機器に連結して通信を行う。
【００６８】
２２７はイージーダイレクトボタンで、ボタンの内側にＬＥＤが配設され、ＬＥＤを点灯或いは点滅させることによりボタンそのものを点灯／点滅させることができる。
【００６９】
図５は、イージーダイレクトボタンの点灯状態（ａ）及び消灯状態（ｂ）を夫々示す。
【００７０】
イージーダイレクトボタン２２７が有効でない場合は図５（ｂ）に示すようにＬＥＤが消灯している。また、ＵＳＢケーブル等でカメラをプリンタに接続している場合、再生モードにおいてＬＣＤ２８に印刷可能な画像を表示すると図５（ａ）に示すようにＬＥＤが点灯する。
【００７１】
このようにボタン自身が点灯するため、ユーザに対してボタンを押すだけで印刷できることを認識させることができ、印刷操作がわかりやすくなる。また、ボタン点灯後、印刷操作を行うために当該ボタンを押下した場合、処理中であることを示すためにＬＥＤが点滅に切り替わる。
【００７２】
図３は、カメラとプリンタとを接続した状態を示す。
【００７３】
プリンタ３００とカメラ１００とを通信ケーブル３０１を介して接続することにより、カメラ１００に装着された記録媒体２００若しくは２１０に記録されたＤＰＯＦファイルに基づき画像を直接プリンタ３００で印刷することができる。
【００７４】
また、本実施形態では、画像及びＤＰＯＦファイルを記録する記録媒体として、書き込み禁止機能を持つＳＤカード（登録商標）等の着脱可能な記録媒体が使用される。
【００７５】
［メニュー画面］
図４は再生モードにおいて画像表示部に表示されるメニュー画面を例示している。
【００７６】
図３でカメラ１００とプリンタ３００とが非接続状態である場合、カメラ１００を再生モードにしてＭＥＮＵボタン２２５を押すことで、図４（ａ）に示す再生メニュータブが選択された状態となって再生メニューの詳細項目がプルダウン表示される。この状態で、十字ボタン２２６の上下ボタンで再生メニューのいずれかの項目に移動し、再生に関連した操作を選択して実行することができる。
【００７７】
また、図４（ａ）に示すようにメインメニュータブＭが選択された状態では、左右ボタンでメインメニュータブを移動することが可能であり、再生メニュー以外の図４（ｂ−１）に示すプリントメニュー等にも移動可能である。
【００７８】
また、カメラ１００がプリンタ３００と接続状態である場合には、カメラ１００を再生モードにしてＭＥＮＵボタン２２５を押すと、図４（ｂ−１）に示すプリントメニューが選択された状態となってプリントメニューの詳細項目がプルダウン表示される。この状態で、十字ボタン２２６の上下ボタンでプリントメニューのいずれかの項目を移動し、印刷に関連した操作を選択して実行することができる。また、図４（ｂ−１）に示すようにメインメニュータブＭが選択された状態では、左右ボタンでメインメニュータブを移動することが可能であり、プリントメニュー以外の図４（ａ）に示す再生メニュー等にも移動可能である。
【００７９】
また、他のメニュータブやメニュー項目を表示中にプリンタを接続すると、表示中のメニュー画面によらず、図４（ｂ−１）に示すように、プリントメニュータブが選択された状態のメニュー画面が表示される。
【００８０】
以上のように、カメラにプリンタが接続されている場合は、ＭＥＮＵボタン２２５を押すと、プリントメニュータブが選択された状態のメニュー画面が自動的に表示される。これにより、メニュー画面表示後に、引き続いて簡単な操作だけで印刷に関連した操作を選択して実行することができる。
【００８１】
尚、ＤＰＯＦ（Digital Print Order Format）規格は、記録媒体に記録されたデジタル画像の印刷を自動化するための統一規格であり、印刷する画像と、印刷枚数及び日付の有無等のプリント指示情報とを予め設定（予約）して記録媒体に記録するものである。プリント指示情報が記述されたファイル（以下、ＤＰＯＦファイルという。）は、画像ファイルとは別のテキストファイルとして記録されている。
【００８２】
また、カメラに装着された記録媒体にＤＰＯＦファイルが記録されていない場合、即ちプリント指示情報が記録されていない場合には印刷する画像が指定されていないので、このままでは印刷が開始できない。このため、この状態でＭＥＮＵボタン２２５を押してメニュー画面を表示すると、図４（ｂ−１）に示すようにプリントメニューの「Print…」項目がグレースケール等で表示されて選択操作を無効（不可）とする。
【００８３】
一方で、ＤＰＯＦファイルが存在する場合、即ちプリント指示情報が記録されている場合には、既に印刷する画像が指定されているので、そのまま印刷を開始できる。このため、この状態でＭＥＮＵボタン２２５を押してメニュー画面を表示すると、図４（ｂ−２）に示すように、「Print…」項目の選択が有効（可能）な状態で表示される。
【００８４】
図４（ｂ−２）において、十字ボタン２２６の上下ボタンを使用して「Print…」項目を選択しＳＥＴボタン２２４を押すと、図４（ｃ）に示す印刷指示画面が表示される。この例では、印刷する枚数は標準印刷１２枚である。この画面では、「Style」を選択してＳＥＴボタン２２４を押すと、フチの有無等、印刷スタイルに関する設定を変更できる。また、「Print」を選択してＳＥＴボタン２２４を押すと、ＤＰＯＦファイルに記録されているプリント指示情報に従ってプリンタ３００により画像の印刷が開始される。
【００８５】
図４（ｂ−１）において、十字ボタン２２６の上下ボタンで「Select Images ＆ Qty…」を選択しＳＥＴボタン２２４を押すと、図４（ｄ）に示す印刷画像選択画面が表示される。この画面では、記録媒体に記録されている画像ごとに、十字ボタン２２６の上下ボタンを使用して印刷枚数を指定することができる。印刷枚数の指定は複数の画像について行うことができ、十字ボタン２２６の左右ボタンを使用して記録媒体に記録されている複数の画像を切り替えて再生しながら、各画像について印刷枚数を指定することができる。
【００８６】
ここで印刷枚数指定を行うとＤＰＯＦファイルにも印刷枚数がプリント指示情報として記録される。既にＤＰＯＦファイルに印刷枚数が記録されている場合には、画像再生時にＤＰＯＦファイルから読み込んだ再生画像に対応した印刷枚数が図４（ｄ）のように表示される。
【００８７】
また、プリンタ３００と接続されている状態で、１枚以上印刷枚数が指定されている場合には、イージーダイレクトボタン２２７が点灯し、当該ボタンを押すことで図４（ｃ）の印刷画面が表示され、すぐに印刷を開始することができる。
【００８８】
次に、図４（ｂ−１）において、十字ボタン２２６の上下ボタンを使用して「Select All Images…」を選択しＳＥＴボタン２２４を押すと、図４（ｅ）に示す全画像印刷画面が表示される。この画面で「OK」を選択してＳＥＴボタン２２４を押すと、記録媒体に記録されている全画像について、１枚ずつの印刷指定を一括して行うことができる。そして、全画像を１枚ずつ印刷するというプリント指示情報がＤＰＯＦファイルに記録される。この全画像印刷画面は全ての画像を印刷する時に使用するので、プリンタ接続時にこの画面を表示したときにはイージーダイレクトボタン２２７が点灯する。更に点灯しているイージーダイレクトボタン２２７を押すと全画像についての印刷指定が行われ、かつ、ＤＰＯＦファイルに記録されると共に、図４（ｃ）の印刷画面が表示される。ここで、「Print」項目を選択してＳＥＴボタン２２７を押すと、すぐに印刷を開始することができる。
【００８９】
次に、図４（ｂ−１）において、十字ボタン２２６の上下ボタンを使用して「Clear All Selections…」を選択しＳＥＴボタン２２４を押すと、図４（ｆ）に示す印刷指定解除画面が表示される。この画面で「OK」を選択してＳＥＴボタン２２４を押すと、ＤＰＯＦファイルに記録された全ての画像に対する印刷指示が解除される。つまり、ＤＰＯＦファイルに既に記録されていたプリント指定情報が消去される。
【００９０】
次に、図４（ｂ−１）において、十字ボタン２２６の上下ボタンを使用して「Print Settings…」を選択しＳＥＴボタン２２４を押すと、図４（ｇ）に示す印刷設定画面が表示される。この画面では、印刷条件に関する設定を行う。「Print Type」では、通常印刷かインデックス印刷か、その両方の印刷かを選択できる。「Date」では、画像の印刷時に撮影した日時を一緒に印刷するかどうかを選択できる。「File No.」は、画像の印刷時に画像のファイル番号を一緒に印刷するかどうかを選択できる。「Clear DPOF Data」では、印刷完了後、印刷指示を解除するためにＤＰＯＦファイルを消去するかどうかを選択できる。
【００９１】
［メニュー画面表示処理］
図６は、本実施形態のカメラによるメニュー画面表示処理のフローを示す。
【００９２】
カメラが再生モードで動作中において、ＭＥＮＵボタン２２５が押されると、システム制御回路５０はカメラ１００にプリンタ３００が接続されているかどうかを判定する（Ｓ１）。
【００９３】
Ｓ１でプリンタ３００が接続されていない場合、再生メニュータブが選択された状態とし（Ｓ２）、図４（ａ）に示す再生メニュータブが選択された状態のメニュー画面が表示される（Ｓ７）。
【００９４】
一方、Ｓ１でプリンタが接続されていると判定された場合、プリントメニュータブが選択された状態とし（Ｓ３）、Ｓ４に進む。
【００９５】
次に、システム制御回路５０は、記録媒体にＤＰＯＦファイルが存在するかどうかを判定し（Ｓ４）、記録媒体にＤＰＯＦファイルが存在しない場合は、「Print…」項目を無効化する。
【００９６】
続いて、図４（ｂ−１）に示すプリントメニュータブが選択され、「Print…」項目が無効化された状態のメニュー画面が表示される（Ｓ７）。
【００９７】
また、Ｓ４で記録媒体にＤＰＯＦファイルが存在する場合は、「Print…」項目を有効化する（Ｓ６）。続いて、図４（ｂ−２）に示すプリントメニュータブが選択され、「Print…」項目が有効化された状態のメニュー画面が表示される（Ｓ７）。
【００９８】
以上説明したように、本実施の形態によれば、メニュー画面を表示する際に、カメラの状態に応じた最適なメニュー画面を表示することで、カメラの操作を簡略化でき、操作性に優れたカメラが実現可能となる。
【００９９】
［その他の例］
上記実施形態において、カメラ１００にプリンタ３００が接続されている状態で、記録媒体にＤＰＯＦファイルが存在する場合は、図４（ｈ−１）に示すように、「Print…」項目が選択された状態のメニュー画面を表示してもよい。この場合、そのままＳＥＴボタン２２４を押すだけで、図４（ｃ）に示す印刷画面が表示されるので、すぐに印刷を開始することができる。
【０１００】
また、上記実施形態において、カメラ１００にプリンタ３００が接続されている状態で、記録媒体にＤＰＯＦファイルが存在しない場合は、図４（ｈ−２）に示すように、「Select Images & Qty…」項目が選択された状態のメニュー画面を表示してもよい。この場合、そのままＳＥＴボタン２２４を押すだけで、図４（ｄ）に示す印刷画像選択画面が表示されるので、すぐに印刷する画像を選択することができる。
【０１０１】
更に、ＤＰＯＦ規格では画像の送信指定機能もサポートされているので、カメラがＵＳＢケーブル等による有線或いは無線によるコンピュータとの通信手段を持つ場合には、カメラからコンピュータへ転送する画像の指定をＤＰＯＦファイルとして記録する。そして、メニュー画面表示時に画像選択画面「Select Images & Qty…」項目が選択された状態のメニュー画面を表示することで、同様にメニュー操作が簡略化されるので、すぐに転送する画像を選択することができる。
【０１０２】
更に、カメラがＵＳＢケーブル等による有線或いは無線により別のカメラとの通信手段を持つ場合には、カメラから別のカメラへ転送する画像の指定をＤＰＯＦファイルとして記録する。そして、メニュー画面表示時に画像選択画面「Select Images & Qty…」項目が選択された状態のメニュー画面を表示することで、同様にメニュー操作が簡略化されるので、すぐに転送する画像を選択することができる。
【０１０３】
［他の実施形態］
本発明は、前述した実施形態の機能を実現するコンピュータプログラムを、システムあるいは装置に直接あるいは遠隔から供給することによって達成される場合も含む。その場合、システム等のコンピュータが該コンピュータプログラムを読み出して実行することになる。
【０１０４】
従って、本発明の機能処理をコンピュータで実現するために、該コンピュータにインストールされるコンピュータプログラム自体も本発明を実現するものである。
【０１０５】
その場合、プログラムの機能を有していれば、オブジェクトコード、インタプリタにより実行されるプログラム、ＯＳに供給するスクリプトデータ等の形態であっても良い。
【０１０６】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【０１０７】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するコンピュータプログラムを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１０８】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【０１０９】
また、コンピュータが、読み出したプログラムを実行することによって、前述した実施形態の機能が実現される他、そのプログラムの指示に基づき、コンピュータ上で稼動しているＯＳ等が、実際の処理の一部又は全部を行うことによっても実現され得る。
【０１１０】
更に、記録媒体から読み出されたプログラムが、コンピュータに挿入された機能拡張ボードやコンピュータに接続された機能拡張ユニットのメモリに書き込まれた後、該ボード等のＣＰＵ等が実際の処理の一部又は全部を行うことによっても実現される。
【図面の簡単な説明】
【０１１１】
【図１】本発明に係る実施形態の撮像装置の構成を示すブロック図である。
【図２】本発明の撮像装置を適用した電子カメラの斜視図である。
【図３】カメラとプリンタとを接続した状態を示す図である。
【図４】画像表示部に表示されるメニュー画面を例示する図である。
【図５】イージーダイレクトボタンの点灯状態（ａ）及び消灯状態（ｂ）を示す図である。
【図６】本実施形態のカメラによるメニュー画面表示処理を示すフローチャートである。
【符号の説明】
【０１１２】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：圧縮／伸長回路
４０：露光制御部
４２：測距制御部
４４：ズーム制御部
４６：バリア制御部
４８：フラッシュ 
５０：システム制御回路
５２：メモリ
５４：表示部
５６：不揮発性メモリ
６０：モードダイアルスイッチ
６２：シャッタースイッチＳＷ１
６４：シャッタースイッチＳＷ２
６６：画像表示ＯＮ／ＯＦＦスイッチ
６８：クイックレビューＯＮ／ＯＦＦスイッチ
７０：操作部
８０：電源制御部
８２：コネクタ
８４：コネクタ
８６：電源部
９０：インターフェース
９２：コネクタ
９４：インターフェース
９６：コネクタ
９８：記録媒体着脱検知部
１００：撮像装置
１０２：バリア
１０４：光学ファインダ
１０６：カメラ姿勢検知部
１０８：日時検知部
１１０：通信制御部
１１２：コネクタ（アンテナ）
２００：記録媒体
２０２：記録部
２０４：インターフェース
２０６：コネクタ
２１０：記録媒体
２１２：記録部
２１４：インターフェース
２１６：コネクタ
２２１：電源ＯＮ／ＯＦＦボタン
２２２：モード切替レバー
２２３：シャッターボタン
２２４：ＳＥＴボタン
２２５：ＭＥＮＵボタン
２２６：十字ボタン
２２７：イージーダイレクトボタン
３００  プリンタ
３０１  通信ケーブル
【図１】
2007221272.tif 000003
【図２】
2007221272.tif 000004
【図３】
2007221272.tif 000005
【図４】
2007221272.tif 000006
【図５】
2007221272.tif 000007
【図６】
2007221272.tif 000008